(57)【要約】      （修正有）【課題】スプーンやフォークを接続してトングとした場合に使いやすいことは勿論、スプーンやフォーク等の単独時でも見栄えや使い勝手を劣化させることのないトングを提供する。【解決手段】弾性素材により略Ｕ乃至Ｖ字状に形成された連結具本体１の両端に食事具６の柄４の先端に対応した差し込み穴２を有する受け部３を形成し、柄４の先に捌き部５を有する一対の食事具６の柄４を受け部３に取り外し可能に装着する。【選択図】図１
0003194888.tif 000002
【実用新案登録請求の範囲】
【請求項１】
弾性素材により略Ｕ乃至Ｖ字状に形成された連結具本体１の両端に食事具６の柄４の先端に対応した形状の差し込み穴２を有する受け部３を形成し、柄４の先に捌き部５を有する一対の食事具６の柄４を受け部３に取り外し可能に装着したトング。
【請求項２】
差し込み穴２の周壁部に食事具６の柄４の長手方向と略平行なスリット７を施した請求項１に記載のトング。
【請求項３】
スリット７が複数である請求項２に記載のトング。
【請求項４】
連結具本体１が透明乃至半透明な樹脂製である請求項１乃至３の何れかに記載のトング。
【考案の詳細な説明】
【技術分野】
【０００１】
本考案は、分解することによりスプーンやフォーク等の食事具として単体使用ができるトングの改良に関するものである。
【背景技術】
【０００２】
従来より、スプーンやフォーク等を接続してトングとして使えるようにしたものが知られている。例えば、スプーンやフォーク等の柄の末端に切り込みを施してそれを係止してトングとして使おうとするもの（特許文献１参照）があるが、これでは接続部分に弾性がないので、箸のように手で力を入れて使わなければならず、不便である上に、単独での使用時は係合のための切欠が不自然であって、見栄えが悪く、手の感触も悪く、使い勝手も良くない欠点があった。
【０００３】
これを改良したものとして、Ｖ字状のばね板にスプーンやフォーク等の柄の末端を保持するようにしたもの（特許文献２参照）もあるが、柄の末端に係合のための特別な加工を施す必要があり、単独での使用時はその係合のための加工部分のため、見栄えが悪く、使い勝手も良くない欠点は解消されないままであった。
【０００４】
【特許文献１】特開２０００−３４２４２１号公報
【特許文献２】特開２００５−１４４０９９号公報
【考案の開示】
【考案が解決しようとする課題】
【０００５】
本考案は、スプーンやフォークを接続してトングとした場合に使いやすいことは勿論、スプーンやフォーク等の単独時でも見栄えや使い勝手を損なわせることのないものを提供しようとするものである。
【課題を解決するための手段】
【０００６】
本考案の第１の特徴は、弾性素材により略Ｕ乃至Ｖ字状に形成された連結具本体１の両端に食事具６の柄４の先端に対応した差し込み穴２を有する受け部３を形成し、柄４の先に捌き部５を有する一対の食事具６の柄４を受け部３に取り外し可能に弾入するようにしたものである。
【０００７】
本考案の第２の特徴は、差し込み穴２の周壁部に食事具６の柄４の長手方向と略平行なスリット７を施したことであり、第３の特徴は、そのスリット７を複数としたことであり、更に第４の特徴は連結具本体１を透明乃至半透明な樹脂製としたことである。
【考案の効果】
【０００８】
本考案にあっては、弾性素材により略Ｕ乃至Ｖ字状に形成された連結具本体１の両端に食事具６の柄４の先端に対応した差し込み穴２を有する受け部３を形成し、柄４の先に捌き部５を有する一対の食事具６の柄４を受け部３に取り外し可能に弾入するようにしたものであるから、まず、一対の食事具６、６の柄４、４間は弾性を有する受け部３で連結されるため、通常のトングと同様、食材等を盛り付けたりする場合に掴み、離す時は、受け部３の弾性で復元して開くので、専用のトングと同様の使い勝手を維持できる。
【０００９】
しかも単独でスプーンやフォーク等を使用する時も、スプーンやフォーク等の柄には接続のための特別な加工は不要であり、単独のスプーンやフォーク等と変わることがないので、違和感なくそれらを単独使用ができる利点がある。
【００１０】
即ち、本考案の差し込み穴２に食事具６の柄４を差し込むだけであるから、スプーンやフォーク等食事具６の柄４には特別な加工を施す必要がないので、通常の一般的な扁平な柄であれば良く、スプーンやフォークの他、ナイフ等でも適用できる。また、一対の食事具６、６の組み合わせは、例えば同一種のスプーン同士の組み合わせ、フォーク同士の組み合わせ、ナイフ同士の組み合わせでも良いし、スプーンとフォークのように異なる機能の食事具６の組み合わせでも構わない。
【００１１】
また、差し込み穴２の周壁部に食事具６の柄４の長手方向と略平行なスリット７を施しておくと、食事具６の柄４の弾入がスムーズに行えるものであり、これを２又はそれ以上にすると、更にそれがスムーズとなる。
【００１２】
更に受け部３を形成する弾性素材を透明乃至半透明樹脂にしておくと、食事具６が木やカラフルな樹脂製であっても、柄の先端まで透けて見えるから、受け部３での接続による違和感も低減される。勿論、食事具６が金属製の場合は連結具本体１はばね弾性のある金属でも良いし、ポリプロピレンのような透明乃至半透明な樹脂でも良い。
【考案を実施するための最良の形態】
【００１３】
図１は本考案の一実施例の連結具本体１から食事具６の一方を分離した状態の概略を示すものであり、連結具本体１は図２のように両端に受け部３、３が施され、ポリプロピレン樹脂等の適宜弾性を有する樹脂で形成されたもので、概略Ｕ乃至Ｖ字状に形成され、両端の受け部３、３にはスプーンやフォーク等の事具６の柄４の先端形状に合わせた扁平な差し込み穴２が施されている。
【００１４】
この差し込み穴２の周壁には、少なくとも１条、好ましくは２条以上のスリット７が食事具６の柄４の長さ方向と略平行に施される。スリット７がない時は、差し込み穴２の形状は食事具６の柄４の外形と略同様の形状となるが、スリット７が施された場合は、差し込み穴２の形状は、柄４の外形よりやや小さくすることになる。また差し込み穴２の周壁の内周適所には抜け止め用の突起８を施すことができる。
【００１５】
一方、図示した食事具６はスプーンの先に切り込みを設けてフォークの機能を兼備させたものであり、柄４の差し込み穴２より出る部分の適所には手指に掛かる盛り上がり部９が施され、差し込み穴２の突起８に係合する凹所１０が施されている。
【００１６】
図３は受け部３の差し込み穴２のそれぞれに食事具６の柄４を差し込んでトングとして使用する状態を示し、一対の食事具６、６の先端間は連結具本体１の弾性で開いた状態となっており、食物等を掴んで皿に運び、離す時は手を緩めると開いて皿に盛り付けることができる。そして、単独時用には受け部３から柄４を抜いて単独使用ができる。ここで、スリット７がある場合は差し込み穴２の形状を柄４よりもやや細くしていても、スリット７で押し広げられて納まるので、連結具本体１で一対の食事具６、６を安定して保持することができるものであり、しかも着脱もスリット７が広がるのでスムーズである。
【産業上の利用可能性】
【００１７】
このように、本考案は連結具本体１にスプーンやフォーク等を結合した時はトングとして使用でき、スプーンやフォーク等を単独で使用する時は連結具本体１より分離するものであるから、保管時や洗浄時も分離して清潔に処理することができ、しかも、単独のスプーンやフォーク等も特に柄４に特別な接続のための加工が施されないので、美観を損なうこともないのである。また差し込み穴２の入り口を食事具６の柄４の対応部の外径よりも絞っておくと、柄４を差し込んで使用する際に抜け難く、また通常、柄４はデザイン上、扁平楕円形状であることも少なくないが、差し込み穴２をそれに合わせた形状とすることで容易に適用できる。
【００１８】
また従来の専用のトングでは嵩張ったり、引き出しの中で絡まったりしやすいが、本考案では、木製などのスプーン等を２本組み合わせることでトングになるものであるから、分解できることで、収納性が高まるものである。また一般的なトングは、そのヒンジ部の構造が複雑で、入り組んだ箇所は細部まで洗浄することが難しかったが、本考案では分解できることで、隅々まで容易に洗浄できる利点がある。特に従来の木製のトングの場合はヒンジ部が金属であったり、木のヒンジでも別途金属のバネ材との組み合わせなので、構造が複雑となるが、本考案では、食事具６を外すと、連結具本体１は差し込み穴２が露出するので、隅々まで洗浄しやすく、清潔に維持できる。
【００１９】
更に、トングを分解するとその一部がそのままスプーン等になるので、従来のようにトングとは別のスプーン等が不要となり、洗い物が減り、手間が省け、環境にも優しくなる。しかもトングがパーツに分けられることで、一部が破損しても、パーツのみの交換で済み、これも環境に優しくなる。また、柄４を共通の形状としておけば、このスプーン等の部分の形状を変更することでデザインや機能のバリエーションを増やすことも可能で、拡張性がある。
【００２０】
このように連結具本体１は、スプーンやフォーク等の食事具６の本来の装飾性を損なうことのない自由な構造を保ち、それに合わせて連結具本体１を設計することができるので、食事具６の単独使用も違和感がなく、また接合した時は専用のトングと遜色のない使い勝手を持つものである。
【図面の簡単な説明】
【００２１】
【図１】本考案の一部を分離した状態の斜視図。
【図２】同上の連結具本体の拡大斜視図。
【図３】同上の接合してトングとした状態の斜視図。
【符号の説明】
【００２２】
１は連結具本体、２は差し込み穴、３は受け部、４は柄、５は捌き部、６は食事具、７はスリットである。
【図１】
0003194888.tif 000003
【図２】
0003194888.tif 000004
【図３】
0003194888.tif 000005